(57)【要約】【課題】  どのようなページを印刷したのか履歴が残っていない為、管理者によるチェックをできるようにする。【解決手段】  印刷手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを印刷する際に、履歴記憶手段に使用ユーザ情報とＷｅｂコンテンツのアドレスと印刷情報を保存し、履歴記憶手段に記憶された履歴を履歴表示手段によって閲覧することで、印刷されたＷｅｂコンテンツと使用ユーザを確認することが可能であることを特徴とし、印刷履歴による管理者のチェックが可能になる。【選択図】  図３
2006004059.tif 000002
【特許請求の範囲】
【請求項１】
印刷手段と、Ｗｅｂコンテンツ表示手段と、履歴記憶手段と、履歴表示手段と、使用ユーザ識別手段を持つ画像処理装置において、
Ｗｅｂコンテンツ表示手段によりネットワーク上のＷｅｂコンテンツを表示し、表示したコンテンツを印刷する際に、履歴記憶手段に使用ユーザ情報とＷｅｂコンテンツのアドレスと印刷情報を保存し、履歴記憶手段に記憶された履歴を履歴表示手段によって閲覧を可能とすることで、印刷されたＷｅｂコンテンツと使用ユーザを確認することが可能であることを特徴とした画像処理装置。
【請求項２】
請求項１の画像処理装置において、表示コンテンツに対しての印刷禁止制限を設ける為の印刷禁止制限設定手段と、Webコンテンツが印刷禁止制限に合致しているかどうかの判定を行う印刷禁止制限判定手段とを持ち、表示しているＷｅｂコンテンツが印刷禁止制限に合致したときには印刷を行えないことを特徴とした画像処理装置。
【請求項３】
画像送信手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを送信する際に、履歴記憶手段に使用ユーザ情報とＷｅｂコンテンツのアドレスと送信情報を保存し、履歴記憶手段に記憶された履歴を履歴表示手段によって閲覧可能とすることで、送信されたＷｅｂコンテンツと使用ユーザを確認することが可能であることを特徴とした画像処理装置。
【請求項４】
請求項３の画像処理装置において、表示コンテンツに対しての画像送信禁止制限を設ける為の画像送信禁止制限設定手段と、Webコンテンツが画像送信禁止制限に合致しているかどうかの判定を行う画像送信禁止制限判定手段とを持ち、表示しているＷｅｂコンテンツが画像送信禁止制限に合致したときには送信を行えないことを特徴とした画像処理装置。
【発明の詳細な説明】
【技術分野】
【０００１】
本発明は画像印刷機能と、画像送信機能、Ｗｅｂコンテンツ表示機能をもつ複合機能装置に関し、例えば、デジタル複写機をベースとしてスキャン機能、印刷機能、ネットワーク送信機能、Ｗｅｂブラウズ機能等の複数の機能を有する複合機能装置における、印刷、送信における情報保護を目的とするものである。
【背景技術】
【０００２】
近年、デジタル複写機のスキャナ、プリンタを使用してファクシミリ通信を行ったり、あるいはデジタル複写機のプリンタ部を使用してコンピュータからのコードデータをビットマップデータに展開してプリントアウトを行ったり、あるいはスキャナから読んだ画像をネットワーク上に送信したり、ネットワーク上から配信された画像をプリント可能な複合機が実用化されている。
【０００３】
一方、複合機能装置の操作パネルは大型化してきており、スキャナ、プリンタを利用した機能の操作設定だけなく、その操作画面でネットワーク上のリモート機器の操作や状態の監視を行うための表示や、ブラウザ表示によるＷｅｂコンテンツを表示することは十分可能になっている。携帯電話やファクシミリではブラウザ画面を組み込んでいるものが実現されており、複写機のような複合機能装置の操作部においても、ブラウザを利用した情報の表示が可能となっている。また、表示したＷｅｂコンテンツの印刷、送信を行うことは、ますます一般的になると考えられる。
【発明の開示】
【発明が解決しようとする課題】
【０００４】
しかしながら、上記のようなネットワーク上のＷｅｂコンテンツを印刷、送信可能な複合機能装置では、オフィス内のイントラネットでのみ公開されている機密情報を外部へ持ち出すことが用意になってしまうという問題がある。業務上閲覧することは必要だが、その情報を印刷や電子データとして保存させたくない状況は増えている。ファイアーウォールによる送信の制限や、モラル向上のキャンペーンなどだけでなく、画像処理装置自体にもセキュリティーを高める機能が必要である。
【０００５】
例えば、現状の装置では機密情報を表示しているWebコンテンツの印刷時にどのようなページを印刷したのか履歴が残っていない為、管理者によるチェックが出来ないという第一の問題があった。また、コンテンツによって印刷機能を有効化、無効化できないという第二の問題があった。一方印刷だけでなく画像データの送信についても同様で、ユーザが機密情報を表示しているWebコンテンツの送信を行ったとしても、履歴による管理者のチェックが出来ないという第三の問題があった。さらにコンテンツによって送信機能を有効化、無効化できないという第四の問題もあった。
【課題を解決するための手段】
【０００６】
本発明は、上記の問題を解決することを目的としたものである。
【０００７】
請求項１の発明は、印刷手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを印刷する際に、履歴記憶手段に使用ユーザ情報とＷｅｂコンテンツのアドレスと印刷情報を保存し、履歴記憶手段に記憶された履歴を履歴表示手段によって閲覧することで、印刷されたＷｅｂコンテンツと使用ユーザを確認することが可能であることを特徴とした画像処理装置であり、印刷履歴による管理者のチェックが可能である。
【０００８】
また、請求項２の発明は、請求項１の画像処理装置において、表示コンテンツに対しての印刷禁止制限を設ける為の印刷禁止条件設定手段を持ち、表示しているＷｅｂコンテンツが印刷禁止制限に合致したときには印刷を行えないことを特徴とした画像処理装置であり、印刷が禁止されているコンテンツがユーザによって印刷されることを防ぐことが可能である。
【０００９】
また、請求項３の発明は、画像送信手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを送信する際に、履歴記憶手段に使用ユーザ情報とＷｅｂコンテンツのアドレスと送信情報を保存し、履歴記憶手段に記憶された履歴を履歴表示手段によって閲覧することで、送信されたＷｅｂコンテンツと使用ユーザを確認することが可能であることを特徴とした画像処理装置であり、送信履歴による管理者のチェックが可能である。
【００１０】
また、請求項４の発明は、請求項３の画像処理装置において、表示コンテンツに対しての画像送信禁止制限を設ける為の画像送信禁止条件設定手段を持ち、表示しているＷｅｂコンテンツが画像送信禁止制限に合致したときには送信を行えないことを特徴とした画像処理装置であり、送信が禁止されているコンテンツがユーザによって送信されることを防ぐことが可能である。
【発明の効果】
【００１１】
以上述べたように、請求項１の発明は、印刷手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを印刷する際に、履歴記憶手段に使用ユーザ情報とＷｅｂコンテンツのアドレスと印刷情報を保存し、履歴記憶手段に記憶された履歴を履歴表示手段によって閲覧を可能とすることで、印刷されたＷｅｂコンテンツと使用ユーザを確認することが可能であることを特徴とした画像処理装置であり、ユーザの印刷したコンテンツを確認することで、セキュリティーを高めることが可能である。
【００１２】
また、請求項２の発明は、請求項１の画像処理装置において、表示コンテンツに対しての印刷禁止制限を設ける為の印刷禁止制限設定手段と、Ｗｅｂコンテンツが印刷禁止制限に合致しているかどうかの判定を行う印刷禁止制限判定手段とを持ち、表示しているＷｅｂコンテンツが印刷禁止制限に合致したときには印刷を行えないことを特徴とした画像処理装置であり、制限された条件で閲覧のみを許可されたコンテンツを不用意に外部に持ち出されないようにする事が可能である。
【００１３】
また、請求項３の発明は、画像送信手段と、Ｗｅｂコンテンツ表示手段と、履歴記憶手段と、履歴表示手段と、使用ユーザ識別手段を持つ画像処理装置において、Ｗｅｂコンテンツ表示手段によりネットワーク上のＷｅｂコンテンツを表示し、表示したコンテンツを送信する際に、履歴記憶手段に使用ユーザ情報とＷｅｂコンテンツのアドレスと送信情報を保存し、履歴記憶手段に記憶された履歴を履歴表示手段によって閲覧可能とすることで、送信されたＷｅｂコンテンツと使用ユーザを確認することが可能であることを特徴とした画像処理装置であり、ユーザの送信したコンテンツを確認することで、セキュリティーを高めることが可能である。
【００１４】
また、請求項４の発明は、請求項３の画像処理装置において、表示コンテンツに対しての画像送信禁止制限を設ける為の画像送信禁止制限設定手段と、Ｗｅｂコンテンツが画像送信禁止制限に合致しているかどうかの判定を行う画像送信禁止制限判定手段とを持ち、表示しているＷｅｂコンテンツが画像送信禁止制限に合致したときには送信を行えないことを特徴とした画像処理装置であり、制限された条件で閲覧のみを許可されたコンテンツを不用意に外部に持ち出されないようにする事が可能である。
【発明を実施するための最良の形態】
【００１５】
以下本発明の実施例を図を参照しながら詳述する。
【００１６】
まず本実施例に登場する画像処理装置の構成を、図１を参照しながら説明する。画像処理装置１００は、本発明に関わる特有の機能、ここでは機器情報の送受信機能を実現する画像処理装置である。具体的には、原稿の読み取りや印刷が可能であるネットワーク接続可能なコピー機である。
【００１７】
リーダー部（画像入力装置）２００は、原稿画像を光学的に読み取り、画像データに変換する。リーダー部２００は、原稿を読取るための機能を持つスキャナユニット２１０と、原稿用紙を搬送するための機能を持つ原稿給紙ユニット２５０とで構成される。
【００１８】
プリンタ部（画像出力装置）３００は、記録紙を搬送し、その上に画像データを可視画像として印字して装置外に排紙する。プリンタ部３００は、複数種類の記録紙カセットを持つ給紙ユニット３６０と、画像データを記録紙に転写、定着させる機能を持つマーキングユニット３１０と、印字された記録紙をソート、ステイプルして機外へ出力する機能を持つ排紙ユニット３７０とで構成される。
【００１９】
制御装置１１０は、リーダー部２００、プリンタ部３００と電気的に接続され、さらにネットワーク４００にと接続されている。制御装置１１０は、リーダー部２００を制御して、原稿の画像データを読込み、プリンタ部３００を制御して画像データを記録用紙に出力してコピー機能を提供する。また、リーダー部２００から読取った画像データを、コードデータに変換し、ネットワーク４００を介して図示しないホストコンピュータへ送信するスキャナ機能、ホストコンピュータからネットワーク４００を介して受信したコードデータを画像データに変換し、プリンタ部３００に出力するプリンタ機能を提供する。
【００２０】
操作部１５０は、制御装置１１０に接続され、液晶タッチパネルで構成され、画像入出力システムを操作するためのユーザＩ／Ｆを提供する。
【００２１】
次に、制御装置１１０の機能を、図２に示すブロック図をもとに説明する。
【００２２】
メインコントローラ１１１は、主にＣＰＵ１１２と、バスコントローラ１１３、各種Ｉ／Ｆコントローラ回路とから構成される。
【００２３】
ＣＰＵ１１２とバスコントローラ１１３は制御装置１１０全体の動作を制御するものであり、ＣＰＵ１１２はＲＯＭ１１４からＲＯＭ  Ｉ／Ｆ１１５を経由して読込んだプログラムに基いて動作する。また、ホストコンピュータから受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２４】
ＤＲＡＭ１１６はＤＲＡＭ  Ｉ／Ｆ１１７によってメインコントローラ１１１と接続されており、ＣＰＵ１１２が動作するためのワークエリアや、画像データを蓄積するためのエリアとして使用される。
【００２５】
Ｃｏｄｅｃ１１８は、ＤＲＡＭ１１６に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１１９はＣｏｄｅｃ１１８の一時的なワーク領域として使用される。Ｃｏｄｅｃ１１８はＩ／Ｆ１２０を介してメインコントローラ１１１と接続され、ＤＲＡＭ１１６との間のデータの転送は、バスコントローラ１１３によって制御されＤＭＡ転送される。
【００２６】
Ｇｒａｐｈｉｃ  Ｐｒｏｃｅｓｓｏｒ１３５は、画像回転、変倍処理の処理を行うが、画像形成装置１０１においては、本発明に関わる、バーコード情報、透かし情報の抽出・解析や生成・埋め込み等の処理が行われる。
【００２７】
外部通信Ｉ／Ｆ１２１はＩ／Ｆ１２２によってメインコントローラ１１１と接続され、コネクタ１２２によって外部ネットワークと接続される。
【００２８】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００２９】
Ｉ／Ｏ制御部１２６には、リーダー部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０，１４５に接続されている。
【００３０】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３１】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３２】
リアルタイムクロックモジュール１３３は、機器内で管理する日付と時刻を更新／保存するためのもので、バックアップ電池１３４によってバックアップされている。
【００３３】
Ｅ−ＩＤＥインタフェース１６１は、外部記憶装置を接続するためのものである。本実施例においては、このＩ／Ｆを介してハードディスクドライブ１６０を接続し、ハードディスク１６２へ画像データを記憶させたり、ハードディスク１６２から画像データを読み込む動作を行う。
【００３４】
コネクタ１４２と１４７は、それぞれリーダー部２００とプリンタ部３００とに接続され、同調歩同期シリアルＩ／Ｆ（１４３，１４８）とビデオＩ／Ｆ（１４４，１４９）とから構成される。
【００３５】
スキャナＩ／Ｆ１４０は、コネクタ１４２を介してリーダー部２００と接続され、また、スキャナバス１４１によってメインコントローラ１１１と接続されており、リーダー部２００から受け取った画像に対して所定の処理を施す機能を有し、さらに、リーダー部２００から送られたビデオ制御信号をもとに生成した制御信号を、スキャナバス１４１に出力する機能も有する。
【００３６】
スキャナバス１４１からＤＲＡＭ１１６へのデータ転送は、バスコントローラ１１３によって制御される。
【００３７】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００３８】
ＤＲＡＭ１１６上に展開されたラスターイメージデータのプリンタ部への転送は、バスコントローラ１１３によって制御され、プリンタバス１４６、ビデオＩ／Ｆ１４９を経由して、プリンタ部３００へＤＭＡ転送される。
【００３９】
図５ａ，ｂ，ｃ，ｄは、画像処理装置のＷｅｂブラウザ画面である。順をおって説明する。図５−ａは、画像処理装置の操作パネルの図であり、画面上部に並んだキーにより複数の画面を切り替える。１２０１はブラウザ画面を切り替えるためのブラウザボタンであり、これを押すとＷｅｂブラウザとして操作を行うことが出来る。１２０２はコンテンツの表示領域である。戻るキー１２０３はページを１つ前に戻すキーである。進むキー１２０４はページを１つ進めるキーである。中止キー１２０５はページの読み込みを中止するキーである。再読込みキー１２０６は現在表示しているページを再度ロードして表示するキーである。ホームキー１２０７は設定されているホームページに移動するキーである。ツールキー１２０８はブックマーク、履歴、ページ保存などのツール画面を表示するキーである。表示キー１２０９は画面の表示倍率の変更、文字サイズの変更、文字コードの変更などの画面を表示するキーである。設定キー１２１０はＰｒｏｘｙの設定、セキュリティの設定など、ブラウジングに必要な設定を行う画面を表示するキーである。印刷キー１２１１は現在表示しているページを表示するキーである。このボタンを押下すると、図示しない印刷設定ダイアログが表示され、印刷設定ダイアログには、フレームをどのように印刷するかの設定、印刷に関する設定（部数、両面、ソートなど）の画面が表示され、この画面内の印刷スタートボタンを押下することで印刷を開始する。全画面キー１２１２はブラウザを全画面表示にするキーである。これついては後述する。メニューＯＦＦキー１２１３は前述の戻るキー１２０３、進むキー１２０４、中止キー１２０５、再読込キー１２０６、ホームキー１２０７、ツールキー１２０８、表示キー１２０９、設定キー１２１０、印刷キー１２１１、全画面キー１２１２からなるメニュー画面のＯＦＦを行うキーであり、このキーを押下すると図５−ｂのようにメニュー画面が消え、代わりに図５−ａの画面では表示できなかったコンテンツ部分を表示することができる。またメニューＯＦＦキーの場所にはメニューＯＮキー１２１６が表示され、このキーが押下されるとメニュー画面の再表示を行い、メニューＯＮキーはメニューＯＦＦキーに切り替わる。ＵＲＬ入力部１２１４はＵＲＬを指定してページを開くときにこのフィールドを押下する。押下することで、図示しないソフトキーボードが表示され、ユーザーがＵＲＬを指定することができる。終了キー１２１５はブラウザ画面を終了するキーでありこのキーを押下すると、表示していたＵＲＬをホーム設定しているＵＲＬに戻し、ブラウザに入る前の機能の初期画面に戻る。
【００４０】
図５−ｃは、前述した全画面キー１２１２を押下したときの画面であり、図５−ａで表示されていた画面上部の機能タブと、画面下部のステータス表示とシステム状況／中止キーが消え、メニュー画面とメニューＯＦＦキー、ＵＲＬ入力部、終了キーが画面下部に移動させて表示することで、コンテンツの表示領域が広げて表示した画面である。小画面キー１２１９は画面を図５−ａの状態に戻すキーであり、このキーが押下されると機能タブとステータス表示とシステム状況／中止キーを再表示し、コンテンツの表示部を小さくして表示する。また図５−ｃで、さらにメニューＯＦＦキー１２１３を押下すると、図５−ｄのようにメニュー画面が消え、コンテンツの表示領域をさらに広げることができる。
【００４１】
図３は、図１で説明した画像処理装置の機能を本発明に関連する機能ブロックによって説明した機能ブロック図である。インターネットに代表されるネットワーク（４００）に画像処理装置（４０１）が接続されている。画像処理装置は（４０１）は複数接続することも可能である。ネットワークインターフェース手段（４０４）はネットワークと機器の接続を担当するものである。インターネットやイントラネット上のＷｅｂコンテンツはこのネットワークインターフェース手段を通して画像処理装置に取り込まれる。また、画像処理装置が画像を送信する場合にもこのネットワークインターフェース手段が用いられる。Ｗｅｂコンテンツ表示手段（４０９）はＷｅｂブラウザであり、ネットワーク上のＷｅｂコンテンツをＵＲＬで指定して表示パネル上に画像として表示する。また、ユーザからの入力を受付てコンテンツ上のリンクをたどることも可能である。表示されるコンテンツは、画像印刷手段（４０２）によって印刷が可能である。画像処理印刷手段はプリンタであって、Ｗｅｂコンテンツを紙媒体に印刷する。また、ユーザは印刷する代わりに、画像送信手段（４０５）をつかってＷｅｂコンテンツを画像データとして送信することも可能である。画像送信手段はＥｍａｉｌやＳＭＢ送信によって画像を送信する機能である。画像処理装置（４０１）は、ユーザ識別手段（４０８）をつかって画像処理装置を利用するユーザを識別可能である。ユーザ識別手段はユーザＩＤとパスワードによるユーザ認証に代表される機能である。画像処理装置（４０１）は印刷や画像送信が実行されると、そのときのユーザとＷｅｂコンテンツの識別情報、実行ジョブの詳細を履歴記憶手段（４０５）に保存する。履歴記憶手段（４０５）は画像処理装置（４０１）内のＨＤＤに書き込まれたログ情報であり、画像処理装置の管理者は、ログ表示などの履歴表示手段（４０７）をつかってユーザが行ったジョブを確認することが可能である。
【００４２】
さらに、本発明の画像処理装置（４０１）は印刷禁止制限設定手段（４１０）を持っている。これはＷｅｂブラウザで表示するＷｅｂコンテンツを印刷するかどうかを判定するための制限条件を設定するもので、印刷を禁止するコンテンツのＵＲＬが記載されている。印刷禁止制限設定判定手段（４１１）は、ユーザが印刷しようとするＷｅｂコンテンツのＵＲＬが印刷禁止制限設定に合致している場合は印刷が出来ないようにする。例えば印刷しようとしているコンテンツのＵＲＬがｈｔｔｐ：／／ｉｎｔｒａｎｅｔ．ｘｘｘ．ｃｏ．ｊｐ／ｓａｍｐｌｅ／ｓａｍｐｌｅｉｎｆｏ．ｈｔｍｌであったとして、印刷禁止制限設定にｈｔｔｐ：／／ｉｎｔｒａｎｅｔ．ｘｘｘ．ｃｏ．ｊｐと記載されていた場合を考える。このホストのコンテンツは印刷禁止になっているので、同じホスト上のコンテンツである要求されたＷｅｂコンテンツの印刷は実行されない。同様に、画像処理装置（４０１）は画像送信禁止制限設定手段（４１２）を持っている。これはＷｅｂブラウザで表示するＷｅｂコンテンツを画像送信するかどうかを判定するための制限条件を設定するもので、画像送信を禁止するコンテンツのＵＲＬが記載されている。画像送信禁止制限設定判定手段（４１３）は、ユーザが印刷しようとするＷｅｂコンテンツのＵＲＬが画像送信禁止制限設定に合致している場合は画像送信が出来ないようにする。
【００４３】
図４はＷｅｂコンテンツを印刷、送信する際の処理の処理フローチャートである。まず画像処理装置を使用するためにＩＤとパスワードを入力する（Ｓ９０１）。正しい値が入力されると、ＩＤ入力画面が閉じられ操作を行うことが出来る。続いて、Ｗｅｂブラウザ画面でＵＲＬを入力し、所望のＷｅｂコンテンツを表示する（Ｓ９０２）。ユーザは印刷、または送信をしたいコンテンツを表示させた後ジョブ実行キーを押して印刷や送信を要求する（Ｓ９０３）。画像処理装置は、要求のあったコンテンツのＵＲＬをあらかじめ設定された制限条件に合致するかどうかを判定する（Ｓ９０４）。条件に合致せず、実行が許可されているＵＲＬであれば印刷、送信を実行する（Ｓ９０５）。逆に条件に合致し保護すべきコンテンツであれば、制限により実行できないことを操作画面にダイアログで表示する（Ｓ９０６）。最後に画像処理装置は、ユーザアカウントとジョブの実行結果、コンテンツのＵＲＬをログとして装置内に保存する。
【図面の簡単な説明】
【００４４】
【図１】本発明の画像処理装置の構成図である。
【図２】制御装置の機能ブロック図である。
【図３】本発明の画像処理システムの機能ブロック図である。
【図４】本発明の送信側機器の機器情報送信処理の処理フローチャートである。
【図５】画像処理装置のWebブラウザ画面である。
【符号の説明】
【００４５】
100  画像形成装置
101  画像形成装置
110  制御装置
111  メインコントローラ
112  ＣＰＵ
113  バスコントローラ
114  ＲＯＭ
115  ＲＯＭＩ/Ｆ
116  ＤＲＡＭ
117  ＤＲＡＭＩ/Ｆ
118  Ｃｏｄｅｃ
119  ＳＲＡＭ
121  ＮｅｔｗｏｒｋＣｏｎｔｒｏｌｌｅｒ
122  Ｉ/Ｆ
125  汎用高速バス
126  Ｉ/Ｏ制御部
127  調歩同期シリアル通信コントローラ
128  Ｉ/Ｏバス
130  キー入力Ｉ/Ｆ
131  ＬＣＤコントローラ
132  パネルＩ/Ｆ
133  リアルタイムクロックモジュール
134  バックアップ電池
135  ＧｒａｐｈｉｃＰｒｏｃｅｓｓｏｒ
136  ＳＲＡＭ
137  Ｉ/Ｆ
140  スキャナＩ/Ｆ
141  スキャナバス
142  コネクタ
143  同調歩同期シリアルＩ/Ｆ
144  ビデオＩ/Ｆ
145  プリンタＩ/Ｆ
146  プリンタバス
147  コネクタ
148  同調歩同期シリアルＩ/Ｆ
149  ビデオＩ/Ｆ
150  操作部
160  ハードディスクドライブ
161  Ｅ-ＩＤＥインタフェース
162  ハードディスク
200  リーダ部
210  スキャナユニット
250  原稿給紙ユニット
400  LAN
401  画像処理装置
402  画像印刷手段
404  ネットワークインターフェース手段
405  画像送信手段
406  履歴記憶手段
407  履歴表示手段
408  ユーザ識別手段
409  Webコンテンツ表示手段
410  印刷禁止制限設定手段
411  印刷禁止制限設定判定手段
412  画像送信禁止制限設定手段
413  画像送信禁止制限設定判定手段
【図１】
2006004059.tif 000003
【図２】
2006004059.tif 000004
【図３】
2006004059.tif 000005
【図４】
2006004059.tif 000006
【図５】
2006004059.tif 000007